(57)【要約】【課題】第１の動作モードの設定値を設定するための操作キーが非表示にカスタマイズされている状態で、第１の動作モードの設定値を強制的に変更して使用する第２の動作モードが設定された場合に、第２の動作モードの解除後において第１の動作モードの設定値を変更することができないという問題を解消できる画像処理装置等を提供する。【解決手段】第１の動作モードの設定値を設定する操作キー２８２ａが非表示にカスタマイズされていない状態で、第２の動作モードの設定時に、第１の動作モードの設定値を強制的に第１のパラメータに変更し、第２の動作モード解除後もパラメータを維持し、設定値の変更操作がなされたときにパラメータを変更する。前記操作キーが非表示にカスタマイズされていると、第２の動作モードの設定時に第１の動作モードの設定値を第２のパラメータに変更し、第２の動作モードの解除後は第３のパラメータに切り替える。【選択図】  図８
2011191432.tif 000002
【特許請求の範囲】
【請求項１】
表示手段と、
動作モード設定用の１個または複数個の操作キーの前記表示手段への表示、非表示をカスタマイズ可能なカスタマイズ手段と、
第１の動作モードと、該第１の動作モードの設定値を強制的に変更して使用する第２の動作モードとを含む動作モードを設定可能なモード設定手段と、
前記カスタマイズ手段により前記第１の動作モードの設定値を設定するための操作キーが非表示にカスタマイズされていない状態では、前記モード設定手段により前記第２の動作モードが設定されたときに、前記第１の動作モードの設定値を強制的に第１のパラメータに変更するとともに、第１の動作モードの解除後も前記第１のパラメータを維持し、ユーザによる設定値の変更操作がなされたときに前記第１のパラメータを変更し、前記第１の動作モードの設定値を設定するための前記操作キーが非表示にカスタマイズされている状態では、前記第２の動作モードが設定されたときに、前記第１の動作モードの設定値を第２のパラメータに変更するとともに、第２の動作モードの解除後は前記第１の動作モードの設定値を第３のパラメータに切り替える制御手段と、
を備えたことを特徴とする画像処理装置。
【請求項２】
前記第２のパラメータ及び第３のパラメータと各動作モードとが関連付けられたパラメータ情報を記憶する記憶手段を備え、
前記制御手段は、前記第１の動作モードの設定値を設定するための前記操作キーが非表示にカスタマイズされている状態では、前記記憶手段に記憶されたパラメータ情報に基づいて、前記第１の動作モードの設定値を、前記モード設定手段により設定された動作モードに応じたパラメータに変更する請求項１に記載の画像処理装置。
【請求項３】
前記第１の動作モードは作像倍率の設定モードであり、前記第２の動作モードは複数原稿を縮小して１枚の用紙に印字するモードである請求項１または２に記載の画像処理装置。
【請求項４】
前記第１の動作モードは原稿画質の設定モードであり、前記第２の動作モードは原稿を読み取る際の読み取りモードである請求項１または２に記載の画像処理装置。
【請求項５】
動作モード設定用の１個または複数個の操作キーの表示手段への表示、非表示をカスタマイズするカスタマイズステップと、
第１の動作モードと、該第１の動作モードの設定値を強制的に変更して使用する第２の動作モードとを含む動作モードを設定するモード設定ステップと、
前記カスタマイズステップにおいて前記第１の動作モードの設定値を設定するための操作キーが非表示にカスタマイズされていない状態では、前記モード設定ステップにおいて前記第２の動作モードが設定されたときに、前記第１の動作モードの設定値を強制的に第１のパラメータに変更するとともに、第１の動作モードの解除後も前記第１のパラメータを維持し、ユーザによる設定値の変更操作がなされたときに前記第１のパラメータを変更し、前記第１の動作モードの設定値を設定するための前記操作キーが非表示にカスタマイズされている状態では、前記第２の動作モードが設定されたときに、前記第１の動作モードの設定値を第２のパラメータに変更するとともに、第２の動作モードの解除後は前記第１の動作モードの設定値を第３のパラメータに切り替える制御ステップと、
を備えたことを特徴とする画像処理装置の動作モード設定方法。
【請求項６】
前記制御ステップにおいて、前記第１の動作モードの設定値を設定するための前記操作キーが非表示にカスタマイズされている状態では、前記第２のパラメータ及び第３のパラメータと各動作モードとが関連付けられたパラメータ情報を記憶する記憶手段に記憶された前記パラメータ情報に基づいて、前記第１の動作モードの設定値を、前記モード設定ステップにおいて設定された動作モードに応じたパラメータに変更する請求項５に記載の動作モード設定方法。
【請求項７】
前記第１の動作モードは作像倍率の設定モードであり、前記第２の動作モードは複数原稿を縮小して１枚の用紙に印字するモードである請求項５または６に記載の動作モード設定方法。
【請求項８】
前記第１の動作モードは原稿画質の設定モードであり、前記第２の動作モードは原稿を読み取る際の読み取りモードである請求項５または６に記載の動作モード設定方法。
【請求項９】
動作モード設定用の１個または複数個の操作キーの表示手段への表示、非表示をカスタマイズするカスタマイズステップと、
第１の動作モードと、該第１の動作モードの設定値を強制的に変更して使用する第２の動作モードとを含む動作モードを設定するモード設定ステップと、
前記カスタマイズステップにおいて前記第１の動作モードの設定値を設定するための操作キーが非表示にカスタマイズされていない状態では、前記モード設定ステップにおいて前記第２の動作モードが設定されたときに、前記第１の動作モードの設定値を強制的に第１のパラメータに変更するとともに、第１の動作モードの解除後も前記第１のパラメータを維持し、ユーザによる設定値の変更操作がなされたときに前記第１のパラメータを変更し、前記第１の動作モードの設定値を設定するための前記操作キーが非表示にカスタマイズされている状態では、前記第２の動作モードが設定されたときに、前記第１の動作モードの設定値を第２のパラメータに変更するとともに、第２の動作モードの解除後は前記第１の動作モードの設定値を第３のパラメータに切り替える制御ステップと、
を画像処理装置のコンピュータに実行させるための動作モード設定プログラム。
【請求項１０】
前記制御ステップにおいて、前記第１の動作モードの設定値を設定するための前記操作キーが非表示にカスタマイズされている状態では、前記第２のパラメータ及び第３のパラメータと各動作モードとが関連付けられたパラメータ情報を記憶する記憶手段に記憶された前記パラメータ情報に基づいて、前記第１の動作モードの設定値を、前記モード設定ステップにおいて設定された動作モードに応じたパラメータに変更する処理をコンピュータに実行させる請求項９に記載の動作モード設定プログラム。
【請求項１１】
前記第１の動作モードは作像倍率の設定モードであり、前記第２の動作モードは複数原稿を縮小して１枚の用紙に印字するモードである請求項９または１０に記載の動作モード設定プログラム。
【請求項１２】
前記第１の動作モードは原稿画質の設定モードであり、前記第２の動作モードは原稿を読み取る際の読み取りモードである請求項９または１０に記載の動作モード設定プログラム。
【発明の詳細な説明】
【技術分野】
【０００１】
この発明は、操作パネル部等の表示手段に表示される動作モードを設定するための操作キーの表示、非表示を、ユーザがカスタマイズすることができる画像処理装置、同装置の動作モード設定方法及び動作モード設定プログラムに関する。
【背景技術】
【０００２】
近年、ＭＦＰ（Multi Function Peripherals）と称される多機能デジタル画像形成装置等の画像処理装置では、多数の機能が搭載されており、ユーザは操作パネルの表示部に表示された複数の動作モード設定用の操作キーのうち、使用したい機能に対応する操作キーを選択することで、所望の機能を使用することができるものとなされている。
【０００３】
ところで、ユーザの多くは、ＭＦＰに搭載された多くの機能の中で基本機能のみを使用するか、あるいは装置を利用する環境やユーザの業務に応じて利用する機能はある程度決まっている。しかし、操作パネルの表示画面に表示される操作キーが多いと、利用したい目的の機能に対応する操作キーと不必要な機能の操作キーとが混在して、それらが分かりにくかったり、目的の機能を使用する際の操作手順が多くなってしまうといった問題がある。
【０００４】
そこで、特許文献１及び２には、操作パネルにおける操作キーの表示、非表示のカスタマイズに関する技術が開示されており、不要な操作キーを表示画面から消去できることが記載されている。
【０００５】
また、特許文献３には、画像形成装置において、使い勝手がよく操作者の意思により沿った複写モードの設定ができることを目的として、原稿サイズと複写倍率設定手段から入力された複写倍率とに基づいて自動的に用紙を選択する自動用紙モードと、用紙選択手段から入力された用紙と原稿サイズとに基づいて自動的に複写倍率を設定する自動複写倍率設定モードと、を有した画像形成装置のモード設定方法であって、前記自動用紙選択モード下において前記用紙選択手段からの入力を受け付けることにより、複写モードを前記自動用紙選択モードから前記自動複写倍率設定モードへ変更することが記載されている。
【０００６】
また、特許文献４には、複数の画像形成モードを有する画像形成装置であって、前記複数の画像形成モードの中から、所望の画像形成モードを選択する手段と、前記選択された複数の画像形成モードを一覧で表示する表示手段と、前記選択された複数のモードの重複設定の可否を判断する手段と、前記判断手段の判断結果に応じて、前記重複設定が不可能と判断されたときは、その旨を前記一覧表示の状態で前記表示手段に表示する画像形成装置が記載されている。
【先行技術文献】
【特許文献】
【０００７】
【特許文献１】特開２００２−３６１９８６号公報
【特許文献２】特開２００７−２４９８６３号公報
【特許文献３】特開平０７−１６０１４８号公報
【特許文献４】特開２０００−２７６０１０号公報
【発明の概要】
【発明が解決しようとする課題】
【０００８】
しかしながら、前記操作キーの表示、非表示をカスタマイズ可能な従来の画像処理装置では、非表示にカスタマイズされる操作キーの種類によっては次のような問題が生じていた。
【０００９】
即ち、操作キーには特定の機能（モード設定）が割り当てられているが、前述した多機能画像形成装置等は、画像形成を容易にするための応用機能が多く用意されており、個々の操作キーの挙動が関連している場合がある。
【００１０】
たとえば、複数枚（Ｎ枚）の原稿を縮小して１枚の用紙に印字するＮｉｎ１集約モード（例えば２ｉｎ１モードや４ｉｎ１モード）や、小冊子モードは、エコロジーやコスト削減のためオフィスでもよく利用されるが、Ｎｉｎ１集約モードを使用する場合は作像倍率を縮小しないと画像欠損が発生する。このため一般には、操作キーによりＮｉｎ１集約モードが指定されると、作像倍率として強制的に所定の値（例えば２ｉｎ１モードの場合は７０．７％）が設定されている。
【００１１】
一方、Ｎｉｎ１集約モードが解除されても、作像倍率を自動的に元の値に戻すようには構成されていない。これは、「倍率設定」という操作キーが存在するために、ユーザが再度倍率を変更し、縮小倍率のままで良いとユーザが判断している可能性があるため、そのままの縮小倍率を維持する構成としたものである。
【００１２】
しかしながら、ユーザによって「倍率設定」キーが非表示にカスタマイズされている場合は、Ｎｉｎ１集約モードによって設定された縮小倍率を、Ｎｉｎ１集約モードの解除後に「倍率設定」キーを用いてユーザが元の倍率に戻すことができず、Ｎｉｎ１集約モードの解除後も画像が縮小されたままの状態になるというような問題があった。
【００１３】
このような問題は、Ｎｉｎ１集約モードと倍率設定モードとの関係以外にも生じる。例えば複写原稿を読み取る際のモードとしてブック原稿モードを指定した場合に、原稿画質モードとして「鉛筆（薄文字）」という設定値が強制的に設定される場合がある。この場合も、ブック原稿モードの解除後は、ユーザが原稿画質モードの操作キーを操作しない限り、「鉛筆（薄文字）」という設定値がそのまま維持される構成となされている。
【００１４】
しかし、原稿画質モード設定用の操作キーが非表示にカスタマイズされている場合には、ブック原稿モードの解除後において、ユーザは原稿画質モードを元の設定値に変更することができないという問題があった。
【００１５】
このような問題に対して、前記特許文献１〜４は有効な解決策を提供しうるものではなかった。
【００１６】
この発明は、このような問題を解決するためになされたものであって、第１の動作モードの設定値を設定するための操作キーが非表示にカスタマイズされている状態で、第１の動作モードの設定値を強制的に変更して使用する第２の動作モードが設定された場合に、第２の動作モードの解除後において第１の動作モードの設定値を変更することができないという問題を解消できる画像処理装置及び同装置の動作モード設定方法を提供し、さらには前記動作モード設定方法を画像処理装置のコンピュータに実行させるための動作モード設定プログラムを提供することを課題とする。
【課題を解決するための手段】
【００１７】
上記課題は、以下の手段によって解決される。
（１）表示手段と、動作モード設定用の１個または複数個の操作キーの前記表示手段への表示、非表示をカスタマイズ可能なカスタマイズ手段と、第１の動作モードと、該第１の動作モードの設定値を強制的に変更して使用する第２の動作モードとを含む動作モードを設定可能なモード設定手段と、前記カスタマイズ手段により前記第１の動作モードの設定値を設定するための操作キーが非表示にカスタマイズされていない状態では、前記モード設定手段により前記第２の動作モードが設定されたときに、前記第１の動作モードの設定値を強制的に第１のパラメータに変更するとともに、第１の動作モードの解除後も前記第１のパラメータを維持し、ユーザによる設定値の変更操作がなされたときに前記第１のパラメータを変更し、前記第１の動作モードの設定値を設定するための前記操作キーが非表示にカスタマイズされている状態では、前記第２の動作モードが設定されたときに、前記第１の動作モードの設定値を第２のパラメータに変更するとともに、第２の動作モードの解除後は前記第１の動作モードの設定値を第３のパラメータに切り替える制御手段と、を備えたことを特徴とする画像処理装置。
（２）前記第２のパラメータ及び第３のパラメータと各動作モードとが関連付けられたパラメータ情報を記憶する記憶手段を備え、前記制御手段は、前記第１の動作モードの設定値を設定するための前記操作キーが非表示にカスタマイズされている状態では、前記記憶手段に記憶されたパラメータ情報に基づいて、前記第１の動作モードの設定値を、前記モード設定手段により設定された動作モードに応じたパラメータに変更する前項１に記載の画像処理装置。
（３）前記第１の動作モードは作像倍率の設定モードであり、前記第２の動作モードは複数原稿を縮小して１枚の用紙に印字するモードである前項１または２に記載の画像処理装置。
（４）前記第１の動作モードは原稿画質の設定モードであり、前記第２の動作モードは原稿を読み取る際の読み取りモードである前項１または２に記載の画像処理装置。
（５）動作モード設定用の１個または複数個の操作キーの表示手段への表示、非表示をカスタマイズするカスタマイズステップと、第１の動作モードと、該第１の動作モードの設定値を強制的に変更して使用する第２の動作モードとを含む動作モードを設定するモード設定ステップと、前記カスタマイズステップにおいて前記第１の動作モードの設定値を設定するための操作キーが非表示にカスタマイズされていない状態では、前記モード設定ステップにおいて前記第２の動作モードが設定されたときに、前記第１の動作モードの設定値を強制的に第１のパラメータに変更するとともに、第１の動作モードの解除後も前記第１のパラメータを維持し、ユーザによる設定値の変更操作がなされたときに前記第１のパラメータを変更し、前記第１の動作モードの設定値を設定するための前記操作キーが非表示にカスタマイズされている状態では、前記第２の動作モードが設定されたときに、前記第１の動作モードの設定値を第２のパラメータに変更するとともに、第２の動作モードの解除後は前記第１の動作モードの設定値を第３のパラメータに切り替える制御ステップと、を備えたことを特徴とする画像処理装置の動作モード設定方法。
（６）前記制御ステップにおいて、前記第１の動作モードの設定値を設定するための前記操作キーが非表示にカスタマイズされている状態では、前記第２のパラメータ及び第３のパラメータと各動作モードとが関連付けられたパラメータ情報を記憶する記憶手段に記憶された前記パラメータ情報に基づいて、前記第１の動作モードの設定値を、前記モード設定ステップにおいて設定された動作モードに応じたパラメータに変更する前項５に記載の動作モード設定方法。
（７）前記第１の動作モードは作像倍率の設定モードであり、前記第２の動作モードは複数原稿を縮小して１枚の用紙に印字するモードである前項５または６に記載の動作モード設定方法。
（８）前記第１の動作モードは原稿画質の設定モードであり、前記第２の動作モードは原稿を読み取る際の読み取りモードである前項５または６に記載の動作モード設定方法。
（９）動作モード設定用の１個または複数個の操作キーの表示手段への表示、非表示をカスタマイズするカスタマイズステップと、第１の動作モードと、該第１の動作モードの設定値を強制的に変更して使用する第２の動作モードとを含む動作モードを設定するモード設定ステップと、前記カスタマイズステップにおいて前記第１の動作モードの設定値を設定するための操作キーが非表示にカスタマイズされていない状態では、前記モード設定ステップにおいて前記第２の動作モードが設定されたときに、前記第１の動作モードの設定値を強制的に第１のパラメータに変更するとともに、第１の動作モードの解除後も前記第１のパラメータを維持し、ユーザによる設定値の変更操作がなされたときに前記第１のパラメータを変更し、前記第１の動作モードの設定値を設定するための前記操作キーが非表示にカスタマイズされている状態では、前記第２の動作モードが設定されたときに、前記第１の動作モードの設定値を第２のパラメータに変更するとともに、第２の動作モードの解除後は前記第１の動作モードの設定値を第３のパラメータに切り替える制御ステップと、を画像処理装置のコンピュータに実行させるための動作モード設定プログラム。
（１０）前記制御ステップにおいて、前記第１の動作モードの設定値を設定するための前記操作キーが非表示にカスタマイズされている状態では、前記第２のパラメータ及び第３のパラメータと各動作モードとが関連付けられたパラメータ情報を記憶する記憶手段に記憶された前記パラメータ情報に基づいて、前記第１の動作モードの設定値を、前記モード設定ステップにおいて設定された動作モードに応じたパラメータに変更する処理をコンピュータに実行させる前項９に記載の動作モード設定プログラム。
（１１）前記第１の動作モードは作像倍率の設定モードであり、前記第２の動作モードは複数原稿を縮小して１枚の用紙に印字するモードである前項９または１０に記載の動作モード設定プログラム。
（１２）前記第１の動作モードは原稿画質の設定モードであり、前記第２の動作モードは原稿を読み取る際の読み取りモードである前項９または１０に記載の動作モード設定プログラム。
【発明の効果】
【００１８】
前項（１）に記載の発明によれば、カスタマイズ手段により第１の動作モードの設定値を設定するための操作キーが非表示にカスタマイズされていない状態では、モード設定手段により前記第２の動作モードが設定されたときに、前記第１の動作モードの設定値が強制的に第１のパラメータに変更され、第２の動作モードの解除後も前記第１のパラメータが維持され、ユーザによる設定値の変更操作がなされたときに前記第１のパラメータが変更される。一方、前記第１の動作モードの設定値を設定するための前記操作キーが非表示にカスタマイズされている状態では、前記第２の動作モードが設定されたときに、前記第１の動作モードの設定値が第２のパラメータに変更されるが、第２の動作モードの解除後は、前記第１の動作モードの設定値が第３のパラメータに切り替えられる。
【００１９】
このように、第１の動作モードの設定値を設定するための操作キーが非表示にカスタマイズされている状態では、第２の動作モードの解除後は、前記第１の動作モードの設定値が第３のパラメータに切り替えられるから、第２の動作モードの解除後においても第１の動作モードの設定値が第１のパラメータのまま維持され、不適切な設定値のまま動作が行われる不都合を防止することができる。
【００２０】
前項（２）に記載の発明によれば、第２のパラメータ及び第３のパラメータと各動作モードとが関連付けられたパラメータ情報が記憶手段に記憶され、第１の動作モードの設定値を設定するための操作キーが非表示にカスタマイズされている状態では、前記記憶手段に記憶されたパラメータ情報に基づいて、前記第１の動作モードの設定値を、設定された動作モードに応じたパラメータに変更するから、第２の動作モードの解除後においても、動作モードに応じた適切なパラメータを設定できる。
【００２１】
前項（３）に記載の発明によれば、作像倍率を設定するための操作キーが非表示にカスタマイズされた状態で、複数原稿を縮小して１枚の用紙に印字するモードが設定されたときに、作像倍率が自動的に縮小されても、該モードの解除後は、作像倍率を適切な設定値に変更できる。
【００２２】
前項（４）に記載の発明によれば、原稿画質を設定するための操作キーが非表示にカスタマイズされた状態で、原稿を読み取る際の読み取りモードが設定されたときに、原稿画質が自動的に変更設定されても、該モードの解除後は、原稿画質を適切な設定値に変更できる。
【００２３】
前項（５）に記載の発明によれば、第１の動作モードの設定値を設定するための操作キーが非表示にカスタマイズされている状態では、第２の動作モードの解除後は、前記第１の動作モードの設定値が第３のパラメータに切り替えられるから、第２の動作モードの解除後においても第１の動作モードの設定値が第１のパラメータのまま維持され、不適切な設定値のまま動作が行われる不都合を防止することができる。
【００２４】
前項（６）に記載の発明によれば、第１の動作モードの設定値を設定するための操作キーが非表示にカスタマイズされている状態では、記憶手段に記憶されたパラメータ情報に基づいて、前記第１の動作モードの設定値を、設定された動作モードに応じたパラメータに変更するから、第２の動作モードの解除後においても、動作モードに応じた適切なパラメータを設定できる。
【００２５】
前項（７）に記載の発明によれば、作像倍率を設定するための操作キーが非表示にカスタマイズされた状態で、複数原稿を縮小して１枚の用紙に印字するモードが設定されたときに、作像倍率が自動的に縮小されても、該モードの解除後は、作像倍率を適切な設定値に変更できる。
【００２６】
前項（８）に記載の発明によれば、原稿画質を設定するための操作キーが非表示にカスタマイズされた状態で、原稿を読み取る際の読み取りモードが設定されたときに、原稿画質が自動的に変更設定されても、該モードの解除後は、原稿画質を適切な設定値に変更できる。
【００２７】
前項（９）に記載の発明によれば、第１の動作モードの設定値を設定するための操作キーが非表示にカスタマイズされている状態において、第２の動作モードの解除後に、前記第１の動作モードの設定値を第３のパラメータに切り替える処理を、画像処理装置のコンピュータに実行させることができる。
【００２８】
前項（１０）に記載の発明によれば、第１の動作モードの設定値を設定するための操作キーが非表示にカスタマイズされている状態において、記憶手段に記憶されたパラメータ情報に基づいて、前記第１の動作モードの設定値を、設定された動作モードに応じたパラメータに変更する処理を、画像処理装置のコンピュータに実行させることができる。
【００２９】
前項（１１）に記載の発明によれば、作像倍率を設定するための操作キーが非表示にカスタマイズされた状態において、複数原稿を縮小して１枚の用紙に印字するモードが設定されたときに、作像倍率が自動的に縮小されても、該モードの解除後に作像倍率を適切な設定値に変更する処理を、画像処理装置のコンピュータに実行させることができる。
【００３０】
前項（１２）に記載の発明によれば、原稿画質を設定するための操作キーが非表示にカスタマイズされた状態において、原稿を読み取る際の読み取りモードが設定されたときに、原稿画質が自動的に変更設定されても、該モードの解除後に原稿画質を適切な設定値に変更する処理を、画像処理装置のコンピュータに実行させることができる。
【図面の簡単な説明】
【００３１】
【図１】この発明の一実施形態に係る画像処理装置であるＭＦＰの概略構成を示すブロック図である。
【図２】コントローラ部のブロック図である。
【図３】操作パネルの平面図である。
【図４】特定の操作キーを非表示にカスタマイズした状態の操作パネルの平面図である。
【図５】画面マップテーブル［Ｔ−１］を示す図である。
【図６】キー情報テーブル［Ｔ−２］を示す図である。
【図７】モードマップテーブル［Ｔ−３］を示す図である。
【図８】非表示モード管理テーブル［Ｔ−４］を示す図である。
【図９】操作キーの表示、非表示をカスタマイズする際の手順を説明するための操作パネルの平面図である。
【図１０】設定項目選択画面が表示された操作パネルの平面図である。
【図１１】操作キー選択画面が表示された操作パネルの平面図である。
【図１２】（Ａ）はモード動作指定画面が、（Ｂ）は倍率設定値変更画面がそれぞれ表示された操作パネルの平面図である。
【図１３】非表示モード最適ルールテーブル［Ｔ−５］を示す図である。
【図１４】ＭＦＰの動作のメインルーチンを示すフローチャートである。
【図１５】図１４のフローチャートにおける操作パネル処理（ステップ♯１）のサブルーチンを示すフローチャートである。
【図１６】図１５のフローチャートにおける設定処理（ステップ♯１３）のサブルーチンを示すフローチャートである。
【図１７】図１６のステップ♯１３３における消去キーありの場合の設定処理のサブルーチンを示すフローチャートである。
【図１８】図１６のステップ♯１３４における通常モード設定処理のサブルーチンを示すフローチャートである。
【図１９】図１６のステップ♯１３６における非表示キー指定処理のサブルーチンを示すフローチャートである。
【発明を実施するための形態】
【００３２】
次に、この発明の一実施形態を図面に基づいて説明する。
【００３３】
図１は、この発明の一実施形態に係る画像処理装置の概略構成を示すブロック図である。この実施形態では、画像処理装置として、コピー機能、プリンタ機能、ファクシミリ（ＦＡＸ）機能、スキャナ機能、メモリ蓄積機能などを備えた多機能画像形成装置であるＭＦＰが用いられている。
【００３４】
ＭＦＰは、原稿上の画像をＣＣＤ等のセンサを用いて読み取るスキャナ部１と、デジタル画像等のデータを処理するコントローラ部２と、用紙上に画像を印刷するプリンタ部３等により構成されている。
【００３５】
図２は、前記コントローラ部２のブロック図である。
【００３６】
コントローラ２は、ＣＰＵ２１、システムＲＡＭ２２、画像ＲＡＭ２３、ハードディスク装置（ＨＤＤ）２４、プログラムＲＯＭ２５、ＦＡＸモデム２６、ネットワークカード２７、操作パネル２８、不揮発性ＲＡＭ（ＮＶ−ＲＡＭ）２９等を備えている。
【００３７】
前記ＣＰＵ２１は、ＭＦＰの全体を統括的に制御して、コピー機能、プリンタ機能、ファクシミリ機能等を使用可能にするものであり、また操作パネル２８を介してユーザによって指定された動作モードを設定したり、所定の操作キーを操作パネルの表示部に表示しないようにカスタマイズする等の処理を行う。
【００３８】
システムＲＡＭは、ＣＰＵ２１が動作プログラムに従って動作するために必要なデータを蓄積しており、プログラム動作時には一次記憶情報が保持される。
【００３９】
画像ＲＡＭ２３はスキャナ部１で読み込んだ原稿の画像データを蓄積するメモリである。
【００４０】
ＨＤＤ２４は画像データ等の各種のデータやアプリケーション等を記憶する記憶装置であり、プログラムＲＯＭ２５はＣＰＵ２１が実行する動作プログラムを格納するメモリである。このプログラムＲＯＭ２５には、操作パネル２８の表示制御及びキー入力制御を行うプログラム、操作パネル２８への操作キーの表示を行うグラフィックデータ、操作キーを押した際の挙動を定義した「キー管理情報」等も格納されている。
【００４１】
ＦＡＸモデム２６はＦＡＸの送受信部であり、ネットワークカード２７はＭＦＰが外部の装置と通信を行う際のインターフェースを構成するものであり、ＮＶ−ＲＡＭ２９はユーザが設定した不揮発情報を保存する。
【００４２】
上記構成において、スキャナ部１から読み込んだ原稿の画像データは、画像ＲＡＭ２３に蓄積される。画像ＲＡＭ２３に蓄積されたデータは、プリンタ部３に転送され印字される構成となっている。
【００４３】
コピー機能は、スキャナ部１から読み込んだ画像を画像ＲＡＭ２３に一度蓄積した後、プリンタ部３に送ることにより実現される。スキャン機能は、スキャナ部１で読み込んだ原稿の画像データを画像ＲＡＭ２３に一旦蓄積した後、ＣＰＵ２１で読み出して、汎用画像フォーマットにエンコードし、その後ネットワークカード２７経由で、電子メールやＦＴＰのプロトコルを利用して、画像を送信することにより実現される。
【００４４】
ＦＡＸ送信は、スキャナ部１で得られた画像データを画像ＲＡＭ２３に一旦蓄積したのち、ＦＡＸで送信可能な解像度、圧縮形式にＣＰＵ２１で変換したのち、ＦＡＸモデム２６経由で送信することにより実行される。
【００４５】
ＦＡＸ受信時には、ＦＡＸモデム２６経由で受信したデータを一旦画像ＲＡＭ２３に蓄積し、印字できる形式にＣＰＵ２１で変換した後、プリンタ部３に送信して印字する。
【００４６】
プリンタ機能は、ネットワーク経由でネットワークカード２７で受信したページ記述言語を、ＣＰＵ２１で画像ＲＡＭ２３に展開し、プリンタ部３に転送して印字することにより実現される。
【００４７】
なお、ＨＤＤ２４に画像を蓄積しておき、何度も印字送信することができるようになっている。また、画像データの「蓄積」が指示された場合には、画像ＲＡＭ２３からＨＤＤ２４に画像データを転送してＨＤＤ２４に蓄積する。
【００４８】
以上説明したＭＦＰによる画像形成等の動作は、ＭＦＰとして公知の技術であるため、詳細な説明は省略する。
【００４９】
図３は前記操作パネル２８の平面図である。操作パネル２８にはスタートキー、テンキー、コピーキー、スキャンキー、ＦＡＸキー、プリントキー等のハードキーが配置されたハードキー部２８１と、液晶表示素子等から構成された表示部２８２を備えている。表示部２８２には各種の動作モードを設定するための１個または複数の操作キー２８２ａを備えた動作モード設定画面が表示される。ユーザがＭＦＰを使用する場合には、操作パネル２８のハードキー部２８１に配置されたハードキーと、前記表示部２８２に表示されたソフトキーである操作キー２８２ａを押下して、ＭＦＰを操作する。
【００５０】
本実施形態に係るＭＦＰは、特定の操作キーの表示を非表示設定に変更するカスタマイズを実施することができる。これにより非表示にカスタマイズされた操作キーが表示画面から消去され、ユーザの利用機能を縮小することができる。
【００５１】
たとえば、図３は、操作キーが非表示にカスタマイズされていない状態でのコピーモードの設定画面Ｄ１を示し、図４は図３の画面に示された給紙トレイの自動選択キー及び作像倍率（以下、単に倍率ともいう）設定キーを非表示にカスタマイズし、画面から消去した状態の設定画面Ｄ２を示すものである。このように、給紙トレイの自動選択キー及び倍率設定キー等の特定の操作キーを表示画面から消去してカスタマイズすることによリ、ユーザの環境に合った利用範囲に限定した操作環境を作ることができる。
【００５２】
次に、所望の操作キーを非表示にカスタマイズするときの動作を説明する。
【００５３】
ＮＶ−ＲＡＭ２９には画面における操作キーの情報が保持されている。この情報は、図５に示す画面マップテーブル［Ｔ−１］と、図６に示すキー情報テーブル［Ｔ−２］により構成されている。
【００５４】
操作パネル２８の表示部２８２内に表示される画面は複数の画面により構成されており、前述したように、画面内に配置される操作キーを非表示にカスタマイズすることが可能である。この操作キーの構成が、前記画面マップテーブル［Ｔ−１］に記憶されている。
【００５５】
画面マップテーブル［Ｔ−１］には、各画面に割り付けられる操作キーとその位置の情報で構成されている。なお、表示キーの個数は画面によって異なる。
【００５６】
操作キーの番号は図６のキー情報テーブル［Ｔ−２］に配置されている。
【００５７】
キー情報テーブル［Ｔ−２］において、「キー番号」は、内部的に決められた操作キーを識別するための番号であり、表示部２８２に実際に表示される操作キーの形状データとキーの大きさなどの情報は、プログラムＲＯＭ２５内に記憶されており、該情報に基づき画面上に操作キーが表示されるとともに、該キーの大きさ情報と、画面マップテーブル［Ｔ−１］内の座標位置から、画面内のどの操作キーが押されたかを判別している。
【００５８】
「表示情報」は、ユーザによりカスタマイズされ、非表示指定があった操作キーに対しては表示を行わないように、情報として記憶している。この箇所が「非表示」になっている操作キーに関しては表示を行わない。この「非表示」の情報は事前に操作キーのカスタマイズ作業が実施された際に書き込まれる。なお、本実施形態では、後述する「設定値」の項目に、「全体」というパラメータを保持する構成となされている。この「全体」はモード全体を示すものであり、対応するキーの「表示情報」が非表示に設定されていた場合には、該当するモード全体の操作キーを非表示とする構成になっている。つまり図６の例でいえば、キー番号５の設定モード「作像倍率（単に倍率ともいう）」とキー番号１２の設定モード「原稿画質」の項目に設定値「全体」が設定されているため、該当する倍率設定モードと原稿画質設定モードの全操作キーが非表示となって、これらのモード設定をユーザが行えない状態になっていることを、図６のキー情報テーブル［Ｔ−２］から判別できる。なお、この場合のキー番号は意味を持たない仮番号である。
【００５９】
キー情報テーブル［Ｔ−２］における「設定モード」と「設定値」は、該当の操作キーがどのモードに該当しどの値を設定するかを示している。具体的には、システムＲＡＭ２２内には、実際にＭＦＰを動作させるためのモードマップテーブル［Ｔ−３］（図７に示す）が配置されており、実際にＭＦＰを動作させるためのモードをまとめた構成となっている。
【００６０】
例えば、操作キー３が押された場合には、図６のキー情報テーブル［Ｔ−２］において「給紙トレイ」が「トレイ1」と書き込まれているため、図７のモードマップテーブル［Ｔ−３］の「給紙トレイ」の項目に「トレイ１」が書き込まれる。なお、モードマップテーブル［Ｔ−３］に基づいて画像生成を行うＭＦＰの動作については、公知の技術であるため、ここでは言及しない。
【００６１】
図６のキー情報テーブル［Ｔ−２］における「遷移条件」の項目は、操作キーが押された場合に他の画面に遷移する場合があり、その画面の遷移先を示している。遷移後の表示については、前述したように、再度画面マップテーブル［Ｔ−１］及びキー情報テーブル［Ｔ−２］を利用して、画面の表示制御を行う。
【００６２】
図６のキー情報テーブル［Ｔ−２］における「書き換えモード」は、該当の操作キーが押された際に、関連する動作モードを設定するための別の操作キーによって設定される設定値を、強制的に書き変える情報を示す。なお、この書き換えは前記別の操作キーの表示情報が「表示」に設定されている場合にのみに実施される。
（操作キーの表示設定時の具体例１）
図６のテーブルにおけるキー番号１０の操作キーを押した場合には、２ｉｎ１集約モードに移行し、画像欠損を回避するために、倍率を７０．７に強制的に書き換えることが示されている。図６の例では、倍率設定を行う操作キー５において、設定モード「倍率」には設定値「全体」が設定され、表示情報に「非表示」が設定されているため、図６のテーブルに基づく倍率７０．７への強制的変更は行われない。しかし、表示情報に「表示」が設定されている場合には、図６のテーブルに基づき、図７のモードマップテーブル［Ｔ−３］に対して、倍率の項目に「７０．７」をセットする。このように倍率を変更する理由は、原稿サイズと用紙サイズが同一の場合には、７０．７パーセントに縮小することで、２ｉｎ１集約モードにおいて画像欠損なしに用紙上に収まることから、操作ミスを回避するためである。
【００６３】
なお、操作キー５の表示情報に「表示」が設定されている場合には、ユーザが他の操作キーを押下することにより、２ｉｎ１集約モードが解除されても、倍率の設定値は７０．７パーセントがそのまま維持される。ユーザは、倍率設定キーにより倍率の変更が可能である。
（操作キーの表示設定時の具体例２）
図６のテーブルにおけるキー番号２０の操作キーを押した場合には、ブック原稿モードに移行し、画質を最適にするために、原稿画質を「薄文字」に強制的に書き換えることが示されている。図６の例では、原稿画質設定を行うキー番号１２の操作キーにおいて、設定モード「原稿画質」には設定値「全体」が設定され、表示情報に「非表示」が設定されているため、図６のテーブルに基づく原稿画質「薄文字」への強制的変更は行われない。しかし、表示情報に「表示」が設定されている場合には、図６のテーブルに基づき、図７のモードマップテーブル［Ｔ−３］に対して、原稿画質の項目に「薄文字」をセットする。このように原稿画質を変更する理由は、ブック原稿形式でコピーをとる場合に、ノートなどに鉛筆で書いた原稿を利用される場合が多いためである。なお、キー番号２０の操作キーの表示情報に「表示」が設定されている場合に、ユーザが好みの原稿画質に変更することが可能な構成としても良い。
【００６４】
また、キー番号１２の操作キーの表示情報に「表示」が設定されている場合には、ユーザが他の操作キーを押下することにより、ブック原稿モードが解除されても、原稿画質の設定値は「薄文字」がそのまま維持される。ユーザは、操作キーにより原稿画質の変更が可能である。
【００６５】
このように、図６の例では、倍率と原稿画質のモードに対して全体が非表示に設定されているが、この場合の動作の挙動を定義するためのテーブルが、ＮＶ−ＲＡＭ２９内に「非表示モード管理テーブル［Ｔ−４］」として保持されている。このテーブルは、非表示になったモード個々に対して生成される。
【００６６】
非表示モード管理テーブル［Ｔ−４］の一例を図８に示す。
【００６７】
図８では、操作キーの全体が非表示に設定されているモードとして、「倍率」と「原稿画質」が該当する。これらの操作キーが非表示にカスタマイズされた場合には、図８の非表示管理テーブル［Ｔ−４］が生成される。
【００６８】
本データのデフォルト値は、プログラムＲＯＭ２５からＮＶ−ＲＡＭ２９にコピーされる。本設定は、ユーザによって変更も可能である。
【００６９】
非表示管理テーブル［Ｔ−４］は、非表示モードテーブル［Ｔ−４（１）］と倍率テーブル［Ｔ−４（２）］と原稿画質テーブル［Ｔ−４（３）］からなる。非表示モードテーブル［Ｔ−４（１）］には非表示モードがリストされ、倍率テーブル［Ｔ−４（２）］には各動作モードと具体的な倍率設定値の一覧が、原稿画質テーブル［Ｔ−４（３）］には各動作モードと具体的な画質設定値の一覧が、それぞれ記載されている。
【００７０】
操作キーが非表示にカスタマイズされていない場合には、ユーザの操作により設定値を変更することが可能であるが、非表示にカスタマイズされた場合には、ユーザによる操作が不可能になるため、ＭＦＰは倍率テーブル［Ｔ−４（２）］と原稿画質テーブル［Ｔ−４（３）］を参照して、作像倍率や原稿画質の設定値を動作モードに応じて予め決められた値に設定し、最適動作を行える構成となされている。なお、倍率テーブル［Ｔ−４（２）］及び原稿画質テーブル［Ｔ−４（３）］には、必ずデフォルト値が存在し、本テーブルに記載された動作モードが存在しなかった場合は、このデフォルト値が選択される。
【００７１】
ユーザが操作キーを操作し動作モードが変更されたタイミングで本テーブルを検索し、変更後の動作モードに対応する設定値を、前述した図７のモードマップテーブル［Ｔ−３］に書き込む。これにより、操作キーが非表示にカスタマイズされていても最適な動作モードが設定される。
【００７２】
以下に具体例を示す。
（操作キーの非表示カスタマイズ時の具体例１）
倍率設定キーが非表示にカスタマイズされた状態で、ユーザにより２ｉｎ１集約モードが選択されると、ＭＦＰは図８の倍率テーブル［Ｔ−４（２）］を参照する。このテーブルの「２ｉｎ１」には倍率７０．７％が設定されているため、２ｉｎ１集約モードにおける倍率設定値としてこの値が採用される。なお、この値は図６に示されている強制的に設定される設定値７０．７％と同じであるが、異なる値が設定されても良い。
【００７３】
ユーザが２ｉｎ１集約モードを解除して他の動作モードを選択した場合には、倍率テーブル［Ｔ−４（２）］に規定された解除後のモードに対応する設定値が設定される。倍率テーブル［Ｔ−４（２）］に該当モードが存在しない場合には、デフォルト値の９０．０パーセントが採用される。従って、２ｉｎ１集約モードの解除後においても倍率の設定値が７０．７％のまま維持され、不適切な設定値のまま他の動作が行われる不都合を防止することができる。
【００７４】
なお、この例では、原稿の周囲まで画像が配置された原稿を利用するユーザが多いことを考慮して、倍率のデフォルト値は１００％より少し小さい９０．９％に設定されている。本テーブルの値はユーザによって変更可能である。
（操作キーの非表示カスタマイズ時の具体例２）
原稿画質設定キーが非表示にカスタマイズされた状態で、ユーザによりブック原稿モードが選択されると、ＭＦＰは図８の原稿画質テーブル［Ｔ−４（３）］を参照する。このテーブルの「ブック原稿」には「薄文字」が設定されているため、ブック原稿モードにおける原稿画質の設定値としてこの値が採用される。
【００７５】
ユーザがブック原稿モードを解除して他の動作モードを選択した場合には、原稿画質テーブル［Ｔ−４（３）］に規定された解除後のモードに対応する設定値が設定される。原稿画質テーブル［Ｔ−４（３）］に該当モードが存在しない場合には、デフォルト値の「文字／写真」が採用される。従って、ブック原稿モードの解除後においても原稿画質の設定値が「薄文字」のまま維持され、不適切な設定値のまま他の動作が行われる不都合を防止することができる。なお、本テーブルの値はユーザによって変更可能である。
【００７６】
次に、操作パネル２８の表示画面をカスタマイズする際の手順を説明する。
【００７７】
まず、図９（Ａ）に示すように、操作パネル２８の「管理」キー２８１ａを押下すると、ＭＦＰは管理者モードに移行し、図９（Ｂ）に示すメニュー選択画面Ｄ４が表示される。なお、通常はパスワード等の認証が必要であるが、ここでは省略している。
【００７８】
図９（Ｂ）のメニュー選択画面Ｄ４に表示された選択ボタンのうち、「パネルカスタマイズ」ボタンを押すと、図１０のような設定項目選択画面Ｄ５が表示される。この画面では、非表示にカスタマイズする操作キーを選択する「非表示対象キー指定」ボタンと、非表示になっているモードの動作を設定する「非表示モード動作設定」ボタンが表示されている。
【００７９】
「非表示対象キー指定」ボタンを押下すると、図１１の操作キー選択画面Ｄ６に遷移する。この画面において、非表示にカスタマイズしたい操作キー２８２ａを選択することによりカスタマイズが行われる。
【００８０】
一方、図１０の設定項目選択画面Ｄ５において、「非表示モード動作設定」ボタンを押下すると、図１２（Ａ）のモード動作指定画面Ｄ７に遷移する。この画面には、選択ボタンとして、倍率設定モードを示す「倍率」ボタンと、原稿画質モードを示す「原稿画質」ボタンが表示されている。
【００８１】
図１２（Ａ）のモード動作指定画面Ｄ７において、例えば「倍率」ボタンが押下されると、図１２（Ｂ）の倍率設定値変更画面Ｄ８に遷移する。この画面では、倍率の設定値が使用される例えば２ｉｎ１集約モード、４ｉｎ１集約モード等の各種の動作モードに対して、倍率を任意に設定することができるとともに、デフォルトの倍率も設定できる。この画面において設定された設定値が、非表示モード管理テーブル［Ｔ−４］における倍率テーブル［Ｔ−４（２）］に反映される。
【００８２】
図１２（Ａ）のモード動作指定画面Ｄ７の「原稿画質」ボタンが押下されたときも、同様に原稿画質について任意の設定値を設定することができる。設定された設定値が原稿画質テーブル［Ｔ−４（３）］に反映される。
【００８３】
このように、この実施形態では、非表示モード管理テーブル［Ｔ−４］における倍率テーブル［Ｔ−４（２）］及び原稿画質テーブル［Ｔ−４（３）］の設定値は、ユーザの利用形態により最適値が異なる可能性があるため、ユーザによって変更可能に構成されている。
【００８４】
加えて、この実施形態では、非表示にカスタマイズされた操作キーによって設定される動作モードの最適値が異なるため、ユーザの設定を容易にするための非表示モード最適ルールテーブル［Ｔ−５］（図１３に示す）を、プログラムＲＯＭ２５内に保持し、簡便に最適な値を設定できるように構成されている。
【００８５】
たとえば、トレイ選択の自動選択キーが非表示にカスタマイズされている場合には、２ｉｎ１モードや４ｉｎ１モードの倍率設定を自動選択にした方がユーザの自由度が上がるため、設定条件が合致した場合に、推奨値の値を前述の非表示モード管理テーブル［T−4］に書き込む。なお、書き込んだ値は、ユーザによってさらに書き換え可能としても良い。
【００８６】
次に、ＭＦＰの動作を図１４〜図１９のフローチャートに基づいて説明する。この動作は、ＣＰＵ２１がプログラムＲＯＭ２５に記録されている動作プログラムに従って動作することにより実行される。
【００８７】
図１４はメインルーチンを示すものであり、ＭＦＰの電源を投入すると、操作パネル２８の入力処理・表示処理を実施する操作パネル処理（ステップ♯１）を行い、スキャナ部１から画像ＲＡＭ２３に画像を取り込む画像入力処理（ステップ♯２）を実施し、画像ＲＡＭ２３からプリンタ部３に画像を出力する画像出力処理（ステップ♯３〉を実施し、ＦＡＸの送受信を行うＦＡＸ通信処理（ステップ♯４）を実施し、ネットワークの通信処理（♯５）を実施し、これを繰り返す。
【００８８】
図１５は、図１４のフローチャートにおける操作パネル処理（ステップ♯１）のサブルーチンを示すフローチャートである。
【００８９】
ステップ♯１１で、ハードキーもしくは表示部２８２に表示されたソフトキー（操作キー）が押されたことを検出し、キー番号を決定するキー検出処理（ステップ♯１１）を行い、また、前述の画面マップテーブル［Ｔ−１］とキー情報テーブル［Ｔ−２］に基づいて表示画面を生成し、表示部２８２に表示する表示処理を行う（ステップ♯１２）。また、操作キーの操作に従って動作モードの設定を行う設定処理（ステップ♯１３）を実行する。
【００９０】
図１６は、図１５のフローチャートにおける設定処理（ステップ♯１３）のサブルーチンを示すフローチャートである。
【００９１】
ステップ♯１３１では、管理者モードにおける画面が表示されているかどうかを判断する。管理者モードにおける画面であれば（♯１３１でＹＥＳ）、押下されたボタンを特定し、そのボタンに応じた処理を実施する。
【００９２】
即ち、ステップ♯１３５で、設定項目選択画面Ｄ５（図１０に示す）における「非表示対象キー指定」ボタンの押下かどうかを判断し、押下であった場合（♯１３５でＹＥＳ）、ステップ♯１３６で、非表示対象キー指定処理を実施したのち、ステップ♯１３７に進む。この非表示対象キー指定処理は、指定された操作キーに応じて、前述の「キー情報テーブル［Ｔ−2］」「非表示モード管理テーブル［Ｔ−4］」「非表示モード最適ルールテーブル［Ｔ−5］」を更新して、操作キーの表示とモード決定方法を変更する処理である。
【００９３】
ステップ♯１３５で、「非表示対象キー指定」ボタンの押下でなければ（♯１３５でＮＯ）、そのままステップ♯１３７に進む。ステップ♯１３７では、「非表示モード動作設定」ボタンの押下かどうかを判断する。「非表示モード動作設定」ボタンの押下である場合（♯１３７でＹＥＳ）、ステップ♯１３８で、設定値の編集処理を実施する。この処理は、前述したように、非表示にカスタマイズされている操作キーによる設定値が使用される各動作モードに対して、設定値を編集する処理であり、非表示モード管理テーブル［Ｔ−4］の書き換え処理である。
【００９４】
ステップ♯１３７で、「非表示モード動作設定」ボタンの押下でなければ（ステップ♯１３７でＮＯ）、ステップ♯１３９でその他の処理を実施した後、リターンする。
【００９５】
ステップ♯１３１で、管理者モードにおける画面でなければ換言すれば通常の画面であれば（ステップ♯１３１でＮＯ）、ステップ♯１３２で、その画面に関して非表示にカスタマイズされている操作キー（以下、消去キーともいう）が存在しているか確認する。消去キーが存在しているか否かの確認は、キー情報テーブル［Ｔ−2］を参照することで行うことができる。
【００９６】
消去キーが存在していた場合には（ステップ♯１３２でＹＥＳ）、消去キーが存在する場合の設定動作を実施する（ステップ♯１３３）。一方、ステップ♯１３２で、消去キーが存在しない場合には（ステップ♯１３２でＮＯ）、通常のモード設定処理を実施する（ステップ♯１３４）。このように、消去キーが存在した場合と、存在しない場合とで設定処理を切り替えている。
【００９７】
図１７は、図１６のステップ♯１３３における消去キーありの場合の設定処理のサブルーチンを示すフローチャートである。
【００９８】
ステップ♯１３３１では、キー操作がなされたかどうかを判断し、なされた場合は（ステップ♯１３３１でＹＥＳ）、ステップ♯１３３２で、操作キーに割り付けられた動作モードに変更したのち、ステップ♯１３３３に進む。キー操作がなされなかった場合は（ステップ♯１３３１でＮＯ）、そのままステップ♯１３３３に進む。
【００９９】
ステップ♯１３３３では、非表示モード管理テーブル［Ｔ−4］と、モードマップテーブル［Ｔ−3］を参照して設定値を決定し、ステップＳ１３３４で、決定した設定値をモードマップテーブル［Ｔ−3］に書き込んでリターンする。
【０１００】
例えば、前述したように、２ｉｎ１集約モードを設定する操作キーが押下されたときには、図８の非表示モード管理テーブル［Ｔ−４］の倍率テーブル［Ｔ−４（２）］に基づいて、倍率の設定値が決定される。また、ブック原稿の読み取りモードを設定する操作キーが押下されたときは、原稿画質テーブル［Ｔ−４（３）］に基づいて、原稿画質の設定値が決定される。そして、決定された設定値がモードマップテーブル［Ｔ−3］に書き込まれる。
【０１０１】
図１８は、図１６のステップ♯１３４における通常モード設定処理のサブルーチンを示すフローチャートである。
【０１０２】
ステップ♯１３４１では、キー操作がなされたかどうかを判断し、なされた場合は（ステップ♯１３４１でＹＥＳ）、ステップＳ１３４２で、操作キーに割り付けられた動作モードに変更したのち、ステップ♯１３４３に進む。キー操作がなされなかった場合は（ステップ♯１３４１でＮＯ）、そのままステップ♯１３４３に進む。
【０１０３】
ステップ♯１３４３では、キー情報テーブル［Ｔ−２］を参照して、設定値を変更する必要があるかどうかを判断し、変更の必要があれば（ステップ♯１３４３でＹＥＳ）、その設定値をモードマップテーブル［Ｔ−３］に書き込んだのち、リターンする。変更の必要がなければ（ステップ♯１３４３でＮＯ）、そのままリターンする。
【０１０４】
例えば２ｉｎ１集約モードを設定する操作キーが押下されたときや、ブック原稿の読み取りモードを設定する操作キーが押下されたときには、図６のキー情報テーブル［Ｔ−２］に基づいて、倍率や原稿画質の設定値が変更される。
【０１０５】
図１９は、図１６のステップ♯１３６における非表示キー指定処理のサブルーチンを示すフローチャートである。
【０１０６】
ステップ♯１３６１で、該当する操作キーのオン／オフ操作が行われたかどうかを調べ、行われていなければ（ステップ♯１３６１でＮＯ）、そのままリターンする。行われた場合（ステップ♯１３６１でＹＥＳ）、ステップ♯１３６２でキー情報テーブル［Ｔ−２］の「表示情報」を書き換えたのち、ステップ♯１３６３で非表示モード最適ルールテーブル［Ｔ−５］を参照し、ステップ♯１３６４で非表示モード管理テーブル［Ｔ−4］を更新する。
【０１０７】
新規に消去されたモードがあれば、プログラムＲＯＭ２５からデフォルトモードが、コピーされる。また、非表示モード最適ルールテーブル［Ｔ−5］に該当する設定状態があった場合には、その内容を、非表示モード管理テーブル［Ｔ−4］にフィードバックする。
【符号の説明】
【０１０８】
１      スキャナ部
２      コントローラ部
３      プリンタ部
２１    ＣＰＵ
２５    プログラムＲＯＭ
２８    操作パネル
２８１  ハードキー部
２８２  表示部
【図１】
2011191432.tif 000003
【図２】
2011191432.tif 000004
【図３】
2011191432.tif 000005
【図４】
2011191432.tif 000006
【図５】
2011191432.tif 000007
【図６】
2011191432.tif 000008
【図７】
2011191432.tif 000009
【図８】
2011191432.tif 000010
【図９】
2011191432.tif 000011
【図１０】
2011191432.tif 000012
【図１１】
2011191432.tif 000013
【図１２】
2011191432.tif 000014
【図１３】
2011191432.tif 000015
【図１４】
2011191432.tif 000016
【図１５】
2011191432.tif 000017
【図１６】
2011191432.tif 000018
【図１７】
2011191432.tif 000019
【図１８】
2011191432.tif 000020
【図１９】
2011191432.tif 000021